(57)【要約】【課題】オットマン本体を収納状態とするときのサイドサポート部の収納性を向上させる。【解決手段】シートクッション３の前部に設けられたオットマン装置１０は、着座者の下腿部を支持するオットマン本体１１の両サイド部に突出して形成された各サイドサポート部１２，１２が、オットマン本体１１がシートクッション３の前面部形状に即して畳み込まれた収納状態の時には、オットマン本体１１の支持面１１ｂからは突出しない姿勢状態となって保持されるが、オットマン本体１１が収納状態から展開状態へと移動する動きに連動して支持面１１ｂから突出したサイドサポート状態へと移行する構成となっている。【選択図】図１
2010082099.tif 000002
【特許請求の範囲】
【請求項１】
シートクッションの前部に着座者の下腿部を下方側から支持可能なオットマン装置が設けられた車両用シートであって、
前記オットマン装置は着座者の下腿部を支持するオットマン本体の両サイド部に着座者の下腿部を支持する支持面よりも突出して該下腿部の横ずれ移動を阻止するサイドサポート部が形成されており、前記オットマン本体は前記シートクッションに対して間に回転留め装置を介して回転留め可能にリンク連結されたことにより、該シートクッションの前面部形状に即して畳み込まれた収納状態と該収納状態からシートクッションの前方側に起こし上げられて着座者の下腿部を下方側から支持した状態となる展開状態との間で収納展開移動可能に構成されており、前記オットマン本体の両サイド部に形成された各サイドサポート部は前記オットマン本体が収納状態の時には前記支持面からは突出しない姿勢状態となって保持されるが前記オットマン本体が収納状態から展開状態へと移動する動きに連動して前記支持面から突出したサイドサポート状態へと移行する構成となっていることを特徴とする車両用シート。
【請求項２】
請求項１に記載の車両用シートであって、
前記オットマン本体の両サイド部に形成された各サイドサポート部は前記オットマン本体が展開状態から収納状態へと移動する動きに連動して前記支持面から突出したサイドサポート状態から突出しない姿勢状態へと移行する構成となっていることを特徴とする車両用シート。
【請求項３】
請求項１又は請求項２に記載の車両用シートであって、
前記オットマン本体は前記シートクッションの骨格部に対して収納展開方向に回転可能にヒンジ連結されて設けられており、前記各サイドサポート部も前記オットマン本体に対して前記支持面から突出したり戻されたりする方向に回転可能にヒンジ連結されて設けられており、前記オットマン本体の動きに連動させて前記各サイドサポート部を移動させる連動機構は前記各サイドサポート部の回転中心軸線上に当該各サイドサポート部と一体的となって設けられた可動側ギアが前記シートクッションに一体的に設けられた固定側ギアと噛合した状態とされて前記オットマン本体の回転移動に伴って噛合回転することによって前記各サイドサポート部を回転移動させる構成となっていることを特徴とする車両用シート。
【請求項４】
請求項１又は請求項２に記載の車両用シートであって、
前記オットマン本体の動きに連動させて前記各サイドサポート部を移動させる連動機構は、前記オットマン本体の移動によって相対変位が生じる二部材の間に前記各サイドサポート部を移動操作する牽引操作式の操作ケーブルの端部と該操作ケーブルの配索経路を案内する案内部材の端部とが連結されて、該操作ケーブルが前記案内部材の端部から繰り出された操作移動量が前記各サイドサポート部を移動操作する操作移動量として伝達されるようになっている機構として構成されていることを特徴とする車両用シート。
【発明の詳細な説明】
【技術分野】
【０００１】
本発明は、車両用シートに関する。詳しくは、シートクッションの前部に着座者の下腿部を下方側から支持可能なオットマン装置が設けられた車両用シートに関する。
【背景技術】
【０００２】
従来、車両用シートにおいて、着座者の下腿部（ふくらはぎ）を下方側から支持するオットマン装置が付設された構成が知られている。ここで、下記特許文献１には、着座者の下腿部を支持するオットマン本体の両サイド部に、下腿部の横ずれ移動を防止するサイドサポート部が膨出して形成された構造が開示されている。この開示では、オットマン本体は、シートクッションの前端部に起倒回転可能にヒンジ連結されて設けられており、シートクッションの下部前面側部分に畳み込まれた収納状態位置と、この収納状態位置から前方側に起こし上げられた使用状態位置との間で収納・展開回転できるように構成されている。
【特許文献１】特開２００７−３０７２４７号公報
【発明の開示】
【発明が解決しようとする課題】
【０００３】
しかし、上記開示の従来技術では、オットマン本体の両サイド部にサイドサポート部が膨出して形成されているために、オットマン本体を収納状態とした時のサイドサポート部の収納性の悪い構成となっている。
【０００４】
本発明は、上記した問題を解決するものとして創案されたものであって、本発明が解決しようとする課題は、オットマン本体を収納状態とするときのサイドサポート部の収納性を向上させることにある。
【課題を解決するための手段】
【０００５】
上記課題を解決するために、本発明の車両用シートは次の手段をとる。
先ず、第１の発明は、シートクッションの前部に着座者の下腿部を下方側から支持可能なオットマン装置が設けられた車両用シートである。オットマン装置は、着座者の下腿部を支持するオットマン本体の両サイド部に、着座者の下腿部を支持する支持面よりも突出して下腿部の横ずれ移動を阻止するサイドサポート部が形成されている。オットマン本体は、シートクッションに対して、間に回転留め装置を介して回転留め可能にリンク連結されたことにより、シートクッションの前面部形状に即して畳み込まれた収納状態と、収納状態からシートクッションの前方側に起こし上げられて着座者の下腿部を下方側から支持した状態となる展開状態との間で収納展開移動可能に構成されている。オットマン本体の両サイド部に形成された各サイドサポート部は、オットマン本体が収納状態の時には、支持面からは突出しない姿勢状態となって保持されるが、オットマン本体が収納状態から展開状態へと移動する動きに連動して支持面から突出したサイドサポート状態へと移行する構成となっている。
【０００６】
この第１の発明によれば、オットマン本体の両サイド部に形成されたサイドサポート部は、オットマン本体が展開状態となることにより支持面から突出したサイドサポート状態となるが、収納状態に畳み込まれた時には、オットマン本体の支持面から突出しない姿勢状態となって保持される。したがって、オットマン本体を収納状態とした時のサイドサポート部の収納性を向上させることができる。
【０００７】
次に、第２の発明は、上述した第１の発明において、オットマン本体の両サイド部に形成された各サイドサポート部は、オットマン本体が展開状態から収納状態へと移動する動きに連動して、支持面から突出したサイドサポート状態から、突出しない姿勢状態へと移行する構成となっている。
【０００８】
この第２の発明によれば、各サイドサポート部は、オットマン本体を展開状態から収納状態へと移動させる動きに連動して、支持面から突出したサイドサポート状態から、突出しない姿勢状態へと切り換えられる。したがって、オットマン本体を収納状態へと移動させる動きによって、各サイドサポート部を簡便に収納性の良い状態に切り換えることができる。
【０００９】
次に、第３の発明は、上述した第１又は第２の発明において、オットマン本体は、シートクッションの骨格部に対して収納展開方向に回転可能にヒンジ連結されて設けられている。そして、各サイドサポート部も、オットマン本体に対して、支持面から突出したり戻されたりする方向に回転可能にヒンジ連結されて設けられている。オットマン本体の動きに連動させて各サイドサポート部を移動させる連動機構は、各サイドサポート部の回転中心軸線上に各サイドサポート部と一体的となって設けられた可動側ギアが、シートクッションに一体的に設けられた固定側ギアと噛合した状態とされて、オットマン本体の回転移動に伴って噛合回転することによって、各サイドサポート部を回転移動させる構成となっている。
【００１０】
この第３の発明によれば、オットマン本体の動きに連動させて各サイドサポート部を移動させる連動機構は、可動側ギアと固定側ギアとを動力伝達可能に噛合させた比較的簡素な構成とされる。そして、このようにギア同士の噛合による動力伝達構造となっていることにより、各サイドサポート部の回転位置がオットマン本体の回転位置によって好適に位置決めされる。したがって、オットマン本体を収納状態とした時のサイドサポート部の収納性を一層向上させることができる。
【００１１】
次に、第４の発明は、上述した第１又は第２の発明において、オットマン本体の動きに連動させて各サイドサポート部を移動させる連動機構は、オットマン本体の移動によって相対変位が生じる二部材の間に、各サイドサポート部を移動操作する牽引操作式の操作ケーブルの端部と、操作ケーブルの配索経路を案内する案内部材の端部とが連結されて、操作ケーブルが案内部材の端部から繰り出された操作移動量が各サイドサポート部を移動操作する操作移動量として伝達されるようになっている機構として構成されている。
【００１２】
この第４の発明によれば、オットマン本体の動きに連動させて各サイドサポート部を移動させる連動機構は、オットマン本体の移動によって操作ケーブルが牽引操作された移動量が各サイドサポート部を移動操作するための操作移動量として伝達される比較的簡素な構成とされる。そして、このように操作ケーブルによって動力伝達を行う構成としたことにより、操作ケーブルが牽引操作される位置から遠く離れた位置で各サイドサポート部が移動操作されるような操作経路の長い構成においても、動力伝達を良好に行うことができる。
【発明を実施するための最良の形態】
【００１３】
以下に、本発明を実施するための最良の形態の実施例について図面を用いて説明する。
【実施例１】
【００１４】
始めに、実施例１の車両用シート１の構成について、図１〜図６を用いて説明する。この車両用シート１は、図１に示されるように、背凭れとなるシートバック２と、着座部となるシートクッション３と、頭受けとなるヘッドレスト４と、を有して構成されている。そして更に、シートクッション３の前端部には、着座者の下腿部（ふくらはぎ）を下方側から支持するオットマン装置１０が付設されている。
【００１５】
このオットマン装置１０は、着座者の下腿部を支持するオットマン本体１１が、シートクッション３の前端部に起倒回転可能にヒンジ連結されて設けられている。これにより、オットマン本体１１は、シートクッション３の前面部形状に即して畳み込まれた収納状態位置と、この収納状態位置から前方側に起こし上げられた使用状態位置との間で収納・展開回転できるように構成されている（図２及び図３参照）。
【００１６】
そして、上記したオットマン装置１０は、オットマン本体１１の両サイド部に、下腿部の横ずれ移動を防止するサイドサポート部１２，１２が膨出するように構成されている。これらサイドサポート部１２，１２は、図４〜図５に示されるように、オットマン本体１１の両サイド部に、それぞれ起倒回転可能にヒンジ連結されて設けられている。そして、これらサイドサポート部１２，１２は、図２及び図４に示されるように、オットマン本体１１が収納状態となっている時には、下腿部を支持するオットマン本体１１の支持面１１ｂと面一状となるように、オットマン本体１１の両外側に倒し込まれた姿勢状態となって保持されるようになっている。
【００１７】
そして、上記した両サイドサポート部１２，１２は、図３及び図５に示されるように、オットマン本体１１が展開状態へと起こし上げられることにより、この回転移動を受けて、それぞれ、起立する方向に回転移動して、オットマン本体１１の支持面１１ｂから突出したサイドサポートとして機能可能な姿勢状態となって保持されるようになっている。以下、上記したオットマン装置１０の具体的な作動構造について詳しく説明していく。
【００１８】
すなわち、図６に示されるように、オットマン本体１１は、その骨格を構成する本体骨格枠１１ａが、鋼板がＵ字状に折り曲げられて形成された外枠部に、天板となる鋼板が張り付けられて形成されている。そして、オットマン本体１１は、上記した本体骨格枠１１ａの天板の上面部に、クッション体となる図示しないウレタンパッドが組み付けられることにより、この天板部分によって着座者の下腿部を下方側から柔らかく支えられる構成となっている。
【００１９】
そして、オットマン本体１１は、上記した本体骨格枠１１ａのＵ字の両端部分が、連結軸１３によって、シートクッション３の前端側の骨格フレームに回転可能に軸支連結されることにより、同シートクッション３の前部において起倒回転可能な状態に組み付けられている。詳しくは、連結軸１３は、シートクッション３の骨格フレームに一体的に結合固定されており、この連結軸１３に対して、本体骨格枠１１ａが回転可能に支えられた構成となっている。
【００２０】
そして、上記した連結軸１３の両端部には、詳細は後述するが、オットマン本体１１の起倒回転に連動させて、各サイドサポート部１２，１２を起倒回転させるための動力伝達機構を構成するかさ歯車１３ａ，１３ａが形成されている。ここで、各かさ歯車１３ａ，１３ａが本発明の固定側ギアに相当する。次に、各サイドサポート部１２，１２は、それらの骨格を構成するサイド骨格枠１２ａ，１２ａが、オットマン本体１１と同じように、鋼板がＵ字状に折り曲げられて形成された外枠部に、天板となる鋼板が張り付けられて形成されている。
【００２１】
そして、各サイドサポート部１２，１２は、それらのサイド骨格枠１２ａ，１２ａの天板の上面部に、クッション体となる図示しないウレタンパッドが組み付けられることにより、この天板部分によって着座者の下腿部の両外側部に柔らかく当てられる構成となっている。なお、上記したオットマン本体１１は、各サイドサポート部１２，１２と共に、図示しない表皮カバーによって外側から覆われて、上記したウレタンパッドが内部に組み付けられた状態となって構成されている。
【００２２】
そして、各サイドサポート部１２，１２は、それらのサイド骨格枠１２ａ，１２ａのＵ字の両端部分が、それぞれ、連結軸１４，１４によって、前述した本体骨格枠１１ａの両サイドの外枠部分に回転可能に軸支連結されることにより、本体骨格枠１１ａの両サイド部に起倒回転可能な状態に組み付けられている。詳しくは、各連結軸１４，１４は、図４〜図５に示されるように、前述したオットマン本体１１の本体骨格枠１１ａを軸支連結する連結軸１３に対して、軸が垂直な方向に向けられて配設されている。
【００２３】
そして、各連結軸１４，１４は、各サイド骨格枠１２ａ，１２ａと一体的に結合固定されており、各サイド骨格枠１２ａ，１２ａと一体的となって、本体骨格枠１１ａに対して回転運動する構成となっている。そして、図４に示されるように、各連結軸１４，１４の図示上端部には、前述した連結軸１３の両端部に形成されたかさ歯車１３ａ，１３ａとそれぞれ噛合した状態となって組み付けられるかさ歯車１４ａ，１４ａが形成されている。ここで、各かさ歯車１４ａ，１４ａが本発明の可動側ギアに相当する。
【００２４】
これらかさ歯車１４ａ，１４ａは、オットマン本体１１が収納状態となっている回転位置（図４の位置）から、図５の展開状態となる回転位置へと起立回転することにより、シートクッション３に固定された連結軸１３の各かさ歯車１３ａ，１３ａに対して噛合位置を変えるようにそのまわりを回転運動する。これにより、各連結軸１４，１４が各サイド骨格枠１２ａ，１２ａと一体的となって軸回転し、各サイドサポート部１２，１２が一斉に起立した姿勢状態へと切り換えられる。
【００２５】
また、同じように、上記した各かさ歯車１４ａ，１４ａは、オットマン本体１１が展開状態となっている回転位置（図５の位置）から、図４の収納状態となる回転位置へと倒れ込み回転することにより、連結軸１３の各かさ歯車１３ａ，１３ａに対して噛合位置を変えるようにそのまわりを上記とは逆方向に回転運動する。これにより、各連結軸１４，１４が各サイド骨格枠１２ａ，１２ａと一体的となって軸回転し、各サイドサポート部１２，１２が一斉にオットマン本体１１の両外側に倒し込まれた姿勢状態となる。
【００２６】
ここで、図４の図示左方側の連結軸１４には、この連結軸１４を電動モータの回転駆動力によって正逆双方向に軸回転駆動させたり軸回転移動を留めたりすることのできる駆動装置１５が連結されている。したがって、この駆動装置１５によって図示左方側の連結軸１４が回転駆動操作されることにより、この回転動力の伝達によって、オットマン本体１１を展開状態へと起立させたり収納状態へと畳み込んだりすることができる。
【００２７】
そして、オットマン本体１１を各位置に移動させてから、駆動装置１５の駆動が止められることにより、オットマン本体１１をそれぞれの移動させた位置に留めて姿勢状態を固定することができる。なお、オットマン本体１１は、上記した駆動装置１５の駆動が止められることによって発揮されるブレーキ作用により、どの回転位置においても回転姿勢が留められるようになっている。これにより、オットマン本体１１を、必ずしも展開状態まで起こし上げて使用しなくても、着座者が使い易いと感じる所望の高さ位置まで起こし上げた状態で、足乗せとして利用することが可能となっている。
【００２８】
なお、上記した駆動装置１５は、図示右方側に配された連結軸１４を回転駆動するように設けられていても良い。また、駆動装置１５は、ピストン等の直動式のアクチュエータを用いて、オットマン本体１１を裏面側から押し出したり引き戻したりする装置として構成されていても良い。但し、この場合にも、駆動装置１５の駆動が止められることによって、オットマン本体１１の回転姿勢をその駆動の止まった姿勢位置に固定することのできるブレーキ作用を発揮する構成となっていることが好ましい。
【００２９】
また、上記した駆動装置１５に代えて、一方の連結軸１４の本体骨格枠１１ａに対する回転移動を留めることのできる回転留め装置を設けても良い。この場合には、オットマン本体１１の収納・展開移動は、手動操作によって行われることとなるが、オットマン本体１１の姿勢を、着座者が使い易いと感じる所望の高さ位置まで起こし上げた状態に留めて使用することができる。また、上記した回転留め装置を適用する場合においては、オットマン本体１１の展開方向への回転移動は許容するが、収納方向への逆戻り回転は規制する公知のラチェット型のロック機構を備えた構成とすると良い。
【００３０】
これにより、オットマン本体１１を展開方向に起こし上げていく動きによって、段階的にオットマン本体１１の高さ位置を起こし上げて所望の高さ位置に留めることができる。また、オットマン本体１１を収納する場合には、ラチェットのロックを解除する一度の操作によって、オットマン本体１１を重力作用によって簡便に落とし込んで収納状態に戻すことができるようになる。
【００３１】
このように、本実施例の車両用シート１によれば、オットマン本体１１の両サイド部に形成されたサイドサポート部１２，１２は、オットマン本体１１が展開状態（図３参照）となることにより、支持面１１ｂから突出したサイドサポート状態となるが、収納状態（図２参照）に畳み込まれた時には、オットマン本体１１の支持面１１ｂから突出しない姿勢状態となって保持される。したがって、オットマン本体１１を収納状態とした時のサイドサポート部１２，１２の収納性を向上させることができる。
【００３２】
また、各サイドサポート部１２，１２は、オットマン本体１１を展開状態から収納状態へと移動させる動きに連動して、支持面１１ｂから突出したサイドサポート状態から、突出しない姿勢状態へと切り換えられる。したがって、オットマン本体１１を収納状態へと移動させる動きによって、各サイドサポート部１２，１２を簡便に収納性の良い状態に切り換えることができる。
【００３３】
また、オットマン本体１１の動きに連動させて各サイドサポート部１２，１２を移動させる連動機構は、可動側ギアとして構成された各かさ歯車１４ａ，１４ａと、固定側ギアとして構成されたかさ歯車１３ａ，１３ａとを、動力伝達可能に噛合させた比較的簡素な構成とされる。そして、このようにギア同士の噛合による動力伝達構造となっていることにより、各サイドサポート部１２，１２の回転位置がオットマン本体１１の回転位置によって好適に位置決めされる。したがって、オットマン本体１１を収納状態とした時のサイドサポート部１２，１２の収納性を一層向上させることができる。
【実施例２】
【００３４】
続いて、実施例２の車両用シート１の構成について、図７〜図１０を用いて説明する。なお、本実施例では、実施例１で示した車両用シート１と実質的な構成や作用効果が同じとなっている箇所については、それらの構成に同一の符号を付して説明を省略し、異なる箇所について詳しく説明することとする。
【００３５】
本実施例の車両用シート１では、図７に示されるように、着座者の下腿部（ふくらはぎ）を支持するオットマン装置２０がシートクッション３の前端部に付設されている点では実施例１と同じ構成となっているが、図８〜図１０に示されるように、下腿部を支持するオットマン本体２１を収納・展開移動させる機構部が次のように構成されている。
【００３６】
すなわち、オットマン本体２１の骨格を構成する本体骨格枠２１ａは、図９に示されるように、左右一対の第１リンク部材２４，２４、第２リンク部材２５，２５、第３リンク部材２６，２６及び第４リンク部材２７，２７によって構成されたリンク機構を介して、シートクッション３の前端側の骨格フレームに結合固定されたベース体２３，２３にリンク連結されている。ここで、ベース体２３，２３は、鋼板が向かい合わせに左右一対となって配設された構成となっており、それぞれが、シートクッション３の骨格フレームに一体的に結合固定されている。
【００３７】
また、各リンク部材も、鋼板が長短それぞれのアーム形状に形成されており、それぞれ、向かい合わせに左右一対となって配設された構成となっている。具体的には、第１リンク部材２４，２４は、それらの図示後端側の部分が、連結軸Ｐ１，Ｐ１によって各ベース体２３，２３の上部箇所にそれぞれ回転可能に軸支連結されており、それらの図示前端側の部分が、連結軸Ｐ２，Ｐ２によって第２リンク部材２５，２５の図示後端側の部分にそれぞれ回転可能に軸支連結されている。
【００３８】
そして、第２リンク部材２５，２５の図示前端側の部分は、図８に示されるように、連結軸Ｐ３，Ｐ３によってオットマン本体２１の両サイド部の図示下方部箇所に回転可能に軸支連結されている。ここで、オットマン本体２１は、中央部に開口を有した面形状の鋼板によって形成されており、上述した第２リンク部材２５，２５の図示前端側の部分は、オットマン本体２１の背面側の板部に起立状に組み付けられた板状部にそれぞれ連結されている。
【００３９】
そして、図９に戻って、第３リンク部材２６，２６は、それらの図示後端側の部分が、連結軸Ｐ４，Ｐ４によって各ベース体２３，２３の下部箇所にそれぞれ回転可能に軸支連結されており、それらの図示前端側の部分が、連結軸Ｐ５，Ｐ５によって第４リンク部材２７，２７の図示後端側の部分にそれぞれ回転可能に軸支連結されている。そして、第４リンク部材２７，２７の図示前端側の部分は、図８に示されるように、連結軸Ｐ６，Ｐ６によってオットマン本体２１の両サイド部の図示上方部箇所に回転可能に軸支連結されている。
【００４０】
この第４リンク部材２７，２７の図示前端側の部分も、前述した第２リンク部材２５，２５の前端部と同じように、オットマン本体２１の背面側の板部に起立状に組み付けられた板状部に連結されている。そして、図９に示されるように、上記した第４リンク部材２７，２７と第１リンク部材２４，２４とは、同図においてそれらの重なり合って描かれている形状部分同士が、連結軸Ｐ７，Ｐ７によって互いに回転可能に軸支連結されている。
【００４１】
そして、上記のように各リンク部材が組み付けられた構成により、各リンク部材のリンク運動に伴って、オットマン本体２１が図８に示される収納状態と図９に示される展開状態との間で姿勢状態が切り換えられるようになっている。次に、オットマン本体２１の支持面２１ｂから突出する両サイドサポート部２２，２２は、それらの骨格を構成するサイド骨格枠２２ａ，２２ａが、それぞれ、連結軸Ｐ８，Ｐ８によって、前述した本体骨格枠２１ａの両サイドの外枠部分に回転可能に軸支連結されている。
【００４２】
そして、上記した各サイド骨格枠２２ａ，２２ａと本体骨格枠２１ａとの間には、各サイド骨格枠２２ａ，２２ａを本体骨格枠２１ａに対してそれぞれ倒し込む回転方向（起立させる回転方向とは反対方向）に附勢する附勢バネＳ，Ｓが掛着されている。これら附勢バネＳ，Ｓは、各連結軸Ｐ８，Ｐ８に巻装されて設けられており、それらの一端が、本体骨格枠２１ａの両サイド部に掛着され、他端が、各サイド骨格枠２２ａ，２２ａと一体的に連結されている各連結軸Ｐ８，Ｐ８の上端部分に突出形成された係止片Ｋ，Ｋにそれぞれ掛着されている。
【００４３】
したがって、各サイド骨格枠２２ａ，２２ａは、常時は、各附勢バネＳ，Ｓの附勢力によって、上述した各連結軸Ｐ８，Ｐ８の上端部に形成された各係止片Ｋ，Ｋが本体骨格枠２１ａの側縁部と当接して係止する倒伏した回転位置において、それぞれ姿勢状態が保持されるようになっている。ここで、図９に示されるように、前述した図示左方側に示されたベース体２３と第３リンク部材２６との間には、二重のケーブル構造を備えて構成された二重ケーブル２９のアウター管２９ｂの一端と、このアウター管２９ｂの一端から繰り出されたインナーワイヤ２９ａの一端とがそれぞれ掛着されている。
【００４４】
ここで、インナーワイヤ２９ａが本発明の操作ケーブルに相当し、アウター管２９ｂが本発明の案内部材に相当する。この二重ケーブル２９は、インナーワイヤ２９ａの配索経路がアウター管２９ｂによって案内された構成となっており、このアウター管２９ｂの管内をインナーワイヤ２９ａが移動するようになっている。そして、上述したインナーワイヤ２９ａの一端は、第３リンク部材２６に一体形成されたインナー掛部２６ａに掛着されて固定されており、アウター管２９ｂの一端は、ベース体２３に一体形成されたアウター掛部２３ａに掛着されて固定されている。
【００４５】
上記した二重ケーブル２９は、図８〜図９に示されるように、第３リンク部材２６がオットマン本体２１を展開移動させる作動方向にリンク運動することにより、この第３リンク部材２６のベース体２３に対する相対変位量によって、インナーワイヤ２９ａの一端がアウター管２９ｂの一端から引き出される態様で牽引操作されるようになっている。ここで、上記した二重ケーブル２９は、その配索経路の途中で二股に分岐された形状となっている。
【００４６】
そして、この二重ケーブル２９の分岐された一方の他端は、前述した図示左方側に示された第２リンク部材２５とサイド骨格枠２２ａとの間に掛着されており、分岐された他方の他端は、図示右方側に示された第２リンク部材２５とサイド骨格枠２２ａとの間に掛着されている。詳しくは、図１０に示されるように、図示左方側に分岐された二重ケーブル２９の他端は、インナーワイヤ２９ａの端部が、前述した図示左方側に配された連結軸Ｐ８に一体的に連結された操作板２８のインナー掛部２８ａに掛着されて固定されている。
【００４７】
そして、同他端のアウター管２９ｂの端部は、前述した図示左方側に配された第２リンク部材２５に一体形成されたアウター掛部２５ａに掛着されて固定されている。また、図示右方側に分岐された二重ケーブル２９の他端は、インナーワイヤ２９ａの端部が、図示右方側に配された連結軸Ｐ８に一体的に連結された操作板２８のインナー掛部２８ａに掛着されて固定されている。そして、同他端のアウター管２９ｂの端部は、図示右方側に配された第２リンク部材２５に一体形成されたアウター掛部２５ａに掛着されて固定されている。
【００４８】
これにより、上記構成の二重ケーブル２９は、第３リンク部材２６が展開の作動方向に回転する動きに伴って、この第３リンク部材２６に掛着された一端においてインナーワイヤ２９ａがアウター管２９ｂの端部から繰り出された牽引操作移動量が二股に分岐された各他端側に伝達されて、各操作板２８，２８が各附勢バネＳ，Ｓの附勢力に抗した方向に回転操作される。これにより、図９に示されるように、各操作板２８，２８と一体的に組み付けられている各サイド骨格枠２２ａ，２２ａが、本体骨格枠２１ａに対してそれぞれ起立する方向に回転操作されて、各サイドサポート部２２，２２がオットマン本体２１に対して起立した姿勢状態となって保持される。なお、これらサイド骨格枠２２ａ，２２ａの回転姿勢は、前述した二重ケーブル２９による連結構造により、それぞれ、本体骨格枠２１ａの回転姿勢位置に対応した回転位置にて位置決めされるようになっている。
【００４９】
ここで、図示右方側のベース体２３と第１リンク部材２４との連結部には、第１リンク部材２４のベース体２３に対する回転移動をロック可能な回転留め装置３０が設けられている。なお、回転留め装置３０に代えて、実施例１で示したような電動モータの回転駆動力によって第１リンク部材２４を回転駆動させる駆動装置を設けても良い。また、第１リンク部材２４の展開方向への回転移動は許容するが、収納方向への逆戻り回転は規制するラチェット型のロック機構を備えた構成としても良い。
【００５０】
このように、本実施例の車両用シート１によれば、オットマン本体２１の動きに連動させて各サイドサポート部２２，２２を移動させる連動機構は、オットマン本体２１の移動によってインナーワイヤ２９ａが牽引操作された移動量が各サイドサポート部２２，２２を移動操作するための操作移動量として伝達される比較的簡素な構成とされる。そして、このようにインナーワイヤ２９ａによって動力伝達を行う構成としたことにより、インナーワイヤ２９ａが牽引操作される位置から遠く離れた位置で各サイドサポート部２２，２２が移動操作されるような操作経路の長い構成においても、動力伝達を良好に行うことができる。
【００５１】
以上、本発明の実施形態を二つの実施例を用いて説明したが、本発明は上記実施例のほか各種の形態で実施できるものである。例えば、各サイドサポート部が常時バネ力の附勢によってオットマン本体から起立する方向に回転附勢された状態として、オットマン本体が収納状態となっている時には倒伏した回転位置にてロックされた状態となっており、オットマン本体が展開位置に向けて回転移動する動きに連動してこのロックが解除されて、バネ力によって起立方向に回転する構成となっていてもよい。
【００５２】
また、各サイドサポート部がオットマン本体に対して起倒回転可能にヒンジ連結された構成を示したが、各サイドサポート部は、直進運動によってオットマン本体に対して突出移動したりその反対方向に戻り移動したりする構成のものであってもよい。また、オットマン本体も同様に、直進運動等の回転移動以外の運動態様によって、収納状態と展開状態との間で移動操作される構成となっていてもよい。
【図面の簡単な説明】
【００５３】
【図１】実施例１の車両用シートの概略構成を表した側面図である。
【図２】オットマン装置が収納状態とされている車両用シートの斜視図である。
【図３】オットマン装置が展開状態とされている車両用シートの斜視図である。
【図４】オットマン装置が収納状態となっている時の骨格構造を表した斜視図である。
【図５】オットマン装置が展開状態となっている時の骨格構造を表した斜視図である。
【図６】オットマン装置の分解斜視図である。
【図７】実施例２の車両用シートの概略構成を表した側面図である。
【図８】オットマン装置が収納状態となっている時の骨格構造を表した斜視図である。
【図９】オットマン装置が展開状態となっている時の骨格構造を表した斜視図である。
【図１０】オットマン装置の分解斜視図である。
【符号の説明】
【００５４】
１      車両用シート
２      シートバック
３      シートクッション
４      ヘッドレスト
１０    オットマン装置
１１    オットマン本体
１１ａ  本体骨格枠
１１ｂ  支持面
１２    サイドサポート部
１２ａ  サイド骨格枠
１３    連結軸
１３ａ  かさ歯車（固定側ギア）
１４    連結軸
１４ａ  かさ歯車（可動側ギア）
１５    駆動装置
２０    オットマン装置
２１    オットマン本体
２１ａ  本体骨格枠
２１ｂ  支持面
２２    サイドサポート部
２２ａ  サイド骨格枠
２３    ベース体
２３ａ  アウター掛部
２４    第１リンク部材
２５    第２リンク部材
２５ａ  アウター掛部
２６    第３リンク部材
２６ａ  インナー掛部
２７    第４リンク部材
２８    操作板
２８ａ  インナー掛部
２９    二重ケーブル
２９ａ  インナーワイヤ（操作ケーブル）
２９ｂ  アウター管（案内部材）
Ｐ１〜Ｐ８  連結軸
Ｓ      附勢バネ
Ｋ      係止片
３０    回転留め装置
【図１】
2010082099.tif 000003
【図２】
2010082099.tif 000004
【図３】
2010082099.tif 000005
【図４】
2010082099.tif 000006
【図５】
2010082099.tif 000007
【図６】
2010082099.tif 000008
【図７】
2010082099.tif 000009
【図８】
2010082099.tif 000010
【図９】
2010082099.tif 000011
【図１０】
2010082099.tif 000012